(57)【要約】【課題】パウチの代替が可能で、詰め替えるべき容器の口部にフィットさせてシールできる注出部を持ったブロー成形薄肉容器を提案する。【解決手段】内容物の充填空間を区画形成するとともに対向する側壁同士を相互に密着させて充填空間の減容を可能とする薄肉の胴体壁部（１）と、この胴体壁部（１）の下端に一体的につながり該胴体壁部（１）を内容物の有無にかかわりなしに起立させる薄肉の底壁部（２）と、前記胴体壁部（１）若しくは底壁部（２）から一体的に突き出しその先端を開放して内容物の注出経路を形成する薄肉の注出部（３）と、前記胴体壁部（１）の上部で胴体壁部（１）の充填空間に内容物を供給する充填部分（４）とを備えたブロー成形スタンディング薄肉容器において、前記注出部（１）の外側壁に、詰め替えるべき容器の口部突端に合わさって該口部をシールするフランジ（５）を設ける。【選択図】図１
2005067679.tif 000002
【特許請求の範囲】
【請求項１】
内容物の充填空間を区画形成するとともに対向する側壁同士を相互に密着させて充填空間の減容を可能とする薄肉の胴体壁部と、この胴体壁部の下端に一体的につながり該胴体壁部を内容物の有無にかかわりなしに起立させる薄肉の底壁部と、前記胴体壁部若しくは底壁部から一体的に突き出しその先端を開放して内容物の注出経路を形成する薄肉の注出部と、前記胴体壁部の上部で胴体壁部の充填空間に内容物を供給する充填部分とを備えたブロー成形スタンディング薄肉容器であって、
前記注出部の外側壁に、詰め替えるべき容器の口部突端に合わさって該口部をシールするフランジを有することを特徴とするパウチの代替に適したブロー成形スタンディング薄肉容器。
【発明の詳細な説明】
【技術分野】
【０００１】
本発明は、合成樹脂製のフィルムや金属製のフィルムにて構成されるパウチの代替に適したブロー成形スタンディング薄肉容器に関するものであり、内容物の注出に際して詰め替えるべき容器の口部に詰め替え用の内容物を収納する容器の注出部をフィットさせて内容物の漏洩や飛散を確実に防止しようとするものである。
【背景技術】
【０００２】
シャンプーやリンス、液体石鹸、化粧料等を入れておく据え置きタイプの容器は内容物の適量注出を可能とするディスペンサーを装着したものが一般に使用されており、このような容器に内容物を補充するに当たっては、構成材料を極力削減すべく合成樹脂製のフィルムや金属製のフィルムを張り合わせたパウチや合成樹脂（例えば延伸ポリプロピレン樹脂）からなる薄肉ブローボトルが詰め替え容器として用いられている（例えば特許文献１、特許文献２参照）。
【特許文献１】特開平１１−１１４９６号公報
【特許文献２】特開２００２−２２５８４２号公報
【発明の開示】
【発明が解決しようとする課題】
【０００３】
ところで、従来の詰め替え容器のうち、パウチは、容器の減容化が可能であり、しかも製造コストの軽減、使用材料の削減を図ることができることから詰め替え用の容器として幅広く使用されているが、該容器は容器自体に張りがないため注出口を詰め替えるべき容器の口部にフィットさせることが不可能で詰め替え時に内容物がこぼれ出てしまう不利があった。
【０００４】
この点、ブロー成形ボトルは、薄肉化されていても容器自体に張りがあり詰め替えるべき容器の口部内に注出部を差し込むことができるので詰め替え容器に適した利点がある反面、注出部と詰め替えるべき容器の口部との間に隙間が形成されることから、とくに内容物が粉体の場合にあっては、その隙間を通して飛散する不具合があった。
【０００５】
なお、パウチについては、その注出部に硬質の注出管を組付け、該注出管を介して内容物を詰め替える試みがなされているけれども、このようなパウチは構成部材の増加や製造工程の付加が必要不可欠になることから製造コストの上昇を招く不利があり、パウチが本来もっている利点を損ないかねない。
【０００６】
本発明の課題は、パウチ及びブロー成形ボトルがそれぞれもつメリットを生かしつつ、内容物を詰め替えるべき容器に対して安定的に注出できる新規なブロー成形スタンディング薄肉容器を提案するところにある。
【課題を解決するための手段】
【０００７】
内容物の充填空間を区画形成するとともに対向する側壁同士を相互に密着させて充填空間の減容を可能とする薄肉の胴体壁部と、この胴体壁部の下端に一体的につながり該胴体壁部を内容物の有無にかかわりなしに起立させる薄肉の底壁部と、前記胴体壁部若しくは底壁部から一体的に突き出しその先端を開放して内容物の注出経路を形成する薄肉の注出部と、前記胴体壁部の上部で胴体壁部の充填空間に内容物を供給する充填部分とを備えたブロー成形スタンディング薄肉容器であって、
前記注出部の外側壁に、詰め替えるべき容器の口部突端に合わさって該口部をシールするフランジを有することを特徴とするパウチの代替に適したブロー成形スタンディング薄肉容器である。
【発明の効果】
【０００８】
注出部の外側壁にそれと一体になるフランジを設けて該注出部の先端を、詰め替えるべき容器の口部に差し込むとともに、フランジを口部の突端にあてがうことにより容器の口部と注出部の間には隙間は生じることはなく、内容物が誤って漏れ出たり飛散することがない。
【発明を実施するための最良の形態】
【０００９】
以下、図面を用いて本発明をより具体的に説明する。
【００１０】
図１（ａ）（ｂ）は本発明に従う容器の実施の形態を示したものであり、図における１は内容物の充填空間を区画形成するとともに対向する側壁同士を相互に密着させて該充填空間の減容を可能とする薄肉の胴体壁部、２は胴体壁部の下端に一体的につながり該胴体壁部１を内容物の有無にかかわりなしに起立させる薄肉の底壁部である。
【００１１】
また、３は胴体壁部１の上端隅部から一体的に突き出しその先端を鋏によるカットにて開放し内容物の注出経路を形成する薄肉の注出部、４は胴体壁部１の上部で該注出部３に隣接して設けられ胴体壁部１の充填空間に内容物を供給する充填部分であって、この充填部分４は内容物の充填後にその開放端を熱融着等によって密封することができるようになっている。
【００１２】
また、５は注出部３の外側壁に一体的に設けられたフランジである。このフランジ５は詰め替えるべき容器の口部突端に合わさって該容器の口部をシールして内容物が漏れ出たり飛散するのを防止する。
【００１３】
内容物を詰め替えるには、まず、鋏等によって注出部３の先端をＡラインに沿ってカットする。そして図２に示すよう注出部３の先端を詰め替えるべき容器の口部６に差し込むとともに該口部６の突端にフランジ５をあてがう。
【００１４】
これにより容器の口部６と注出部３との間には隙間が生じることがないので、内容物が漏れ出たり飛散することがない。当該構造は、詰め替えられる内容物が粉体である時に特にその効果を発揮するが、内容物は粉体に限られるものではなく液体にも採用し得る。
【００１５】
本発明に従う容器は、ポリエチレン・ポリプロピレンやポリエチレンテレフタレート等の合成樹脂をブロー成形することによって製造するものであり、折畳みによるコンパクト化を可能とするため、その肉厚は０．０５〜０．５mm程度とするのが好ましい。
【００１６】
図３は本発明に従う容器の他の実施の形態を示したものである。上掲図１では、注出部３を胴体壁部１の上端隅部から一体的に突き出した例として示したが、該注出部３は底壁部２から注出時には突き出され起立時には胴体壁部１内方に向けて陥没可能なポップアップタイプとしてもよく、注出部３の形成位置は用途に応じて種々変更することができる。
【００１７】
容器は単一の樹脂で構成された構造のものや２種類以上の樹脂を積層構成したもの、さらにはエチレンピニルアルコール共重合体やナイロンなどのバリア層を含む２種以上の樹脂で構成された多層構造のものが適用可能でありこの点については限定されない。また、底壁部２については、図示はしないが凹又は凸状のラインを形成しておくことが可能であり、これにより容器が折り畳み易くなる。
【００１８】
また、フランジ５はディスク状のものを例として示したが、詰め替えるべき容器の口部を確実にシールすることができるものであれば形状はとくに限定されない。
【産業上の利用可能性】
【００１９】
パウチと同様に容器の折畳みによる減容化が可能であり、しかも、内容物の注出に際して詰め替えるべき容器の口部を確実にシールできるので、内容物が漏洩したり飛散することのなく、詰め替え容器として幅広い用途に使用できる。
【図面の簡単な説明】
【００２０】
【図１】本発明の実施の形態を示した図であり、（ａ）は正面図、（ｂ）は側面図である。
【図２】内容物の注出状況を示した図である。
【図３】本発明の他の実施の形態を示した図である。
【符号の説明】
【００２１】
１  胴体壁部
２  底壁部
３  注出部
４  充填部分
５  フランジ
【図１】
2005067679.tif 000003
【図２】
2005067679.tif 000004
【図３】
2005067679.tif 000005